(57)【要約】【課題】カバーと射出物の延長部の間に設けられて、高湿環境で水分浸透を防止するステップモータのシーリング構造を提供する。【解決手段】モーターの外周にケースが設けられ、シャフトの下部は下部ベアリングによって支持され、下部ベアリングはカバーによって支持され、前記カバーは射出物の延長部と当接するステップモータであって、前記カバーの上面、あるいは前記射出物の延長部の下部には環状溝が形成され、前記環状溝には弾性リングが挿着され、弾性リングがカバーと射出物の延長部の間に介在される。【選択図】図２
2010233445.tif 000002
【特許請求の範囲】
【請求項１】
モーターの外周にケースが設けられ、シャフトの下部は下部ベアリングによって支持され、下部ベアリングはカバーによって支持され、前記カバーは射出物の延長部と当接するステップモータにおいて、
前記カバーの上面には環状溝が形成され、前記環状溝には弾性リングが挿着され、弾性リングがカバーと射出物の延長部の間に介在されることを特徴とする、ステップモータのシーリング構造。
【請求項２】
モーターの外周にはケースが設けられ、シャフトの下部は下部ベアリングによって支持され、下部ベアリングはカバーによって支持され、前記カバーは射出物の延長部と当接するステップモータにおいて、
前記射出物の延長部の下部に環状溝が形成され、前記環状溝に弾性リングが挿着され、弾性リングがカバーと射出物の延長部の間に介在されることを特徴とする、ステップモータのシーリング構造。
【発明の詳細な説明】
【技術分野】
【０００１】
本発明はステップモータのシーリング構造に係り、より詳しくはステップモータのカバーまたはステータ固定用射出物に環状溝を形成し、この環状溝に弾性リングを挿入させたステップモータのシーリング構造に関する。
【背景技術】
【０００２】
従来のステップモータのベアリング支持装置を図１に基づいて説明すれば、シャフト１０を支持する上部ベアリング１２は射出物１４の端部によって支持され、射出物１４の上部には上部フランジ２０が固定されることにより、モーターが所定の被付着物（図示せず）に付着されるようにする。モーターの外周にはケース２６が設けられ、ケース２６の上部は折り曲げられ、この折曲部は上部フランジ２０の下側に位置する。射出物１４は、ケース２６の方向に開いた空間にコイル３０が巻き付けられ、その反対側にはヨーク３２が装着され、ヨーク３２と対向する位置にマグネット４６が位置し、マグネット４６はマグネット支持部４８によって支持される。シャフト１０の下部は下部ベアリング４２によって支持され、下部ベアリング４２は鉄板でなるカバー４０によって支持される。前記カバー４０は射出物１４の延長部４３と当接する。
【０００３】
前記のような従来の構造は、カバー４０と射出物１４の延長部４３が固定される構造であるが、高湿環境で使用するとき、カバー４０と射出物１４の延長部４３の間に水分が浸透してヨーク３２にさびが発生しモーター性能を低下させる問題点があった。
【発明の概要】
【発明が解決しようとする課題】
【０００４】
したがって、本発明は上述した従来の問題点を解決するためになされたもので、本発明の目的は、カバーと射出物の延長部の間に設けられて、高湿環境で水分浸透を防止するステップモータのシーリング構造を提供することにある。
【課題を解決するための手段】
【０００５】
前記課題を達成するために、本発明の一面によれば、モーターの外周にケースが設けられ、シャフトの下部は下部ベアリングによって支持され、下部ベアリングはカバーによって支持され、前記カバーは射出物の延長部と当接するステップモータであって、前記カバーの上面には環状溝が形成され、前記環状溝には弾性リングが挿着され、弾性リングがカバーと射出物の延長部の間に介在される。
【０００６】
前記課題を達成するために、本発明の他の面によれば、モーターの外周にはケースが設けられ、シャフトの下部は下部ベアリングによって支持され、下部ベアリングはカバーによって支持され、前記カバーは射出物の延長部と当接するステップモータであって、前記射出物の延長部の下部に環状溝が形成され、前記環状溝に弾性リングが挿着され、弾性リングがカバーと射出物の延長部の間に介在される。
【発明の効果】
【０００７】
本発明によるステップモータのシーリング構造は、カバーの上面にまたは射出物の延長部の下部に環状溝が形成され、前記環状溝には弾性リングが挿着され、弾性リングがカバーと射出物の延長部の間に介在されることにより、カバーと射出物の延長部の間への水分浸透を防止する効果がある。
【図面の簡単な説明】
【０００８】
【図１】従来のステップモータの断面図である。
【図２】本発明の一実施例によるステップモータの断面図である。
【図３】本発明によるカバーの断面図である。
【図４】本発明によるカバーの断面図である。
【図５】本発明の他の実施例によるステップモータの断面図である。
【発明を実施するための形態】
【０００９】
以下、本発明の実施例を添付図面に基づいて説明する。
【００１０】
図２〜図４は本発明の一実施例を示す。図２〜図４に示すように、シャフト１０を支持する上部ベアリング１２は射出物１４の端部によって支持され、射出物１４の上部には上部フランジ２０が固定されることにより、モーターが所定の被付着物（図示せず）に付着されるようにする。モーターの外周にはケース２６が設けられ、ケース２６の上部は折り曲げられ、この折曲部は上部フランジ２０の下側に位置する。射出物１４はケース２６の方向に開いた空間にコイル３０が巻き付けられ、その反対側にはヨーク３２が装着され、ヨーク３２と対向する位置にマグネット４６が位置し、マグネット４６はマグネット支持部４８によって支持される。シャフト１０の下部は下部ベアリング４２によって支持され、下部ベアリング４２は鉄板でなるカバー４０によって支持される。前記カバー４０は射出物１４の延長部４３と当接する。前記カバー４０の上面には環状溝６０が形成され、前記環状溝６０には弾性リング６４が挿着される。
【００１１】
前記のような構造によって、弾性リング６４がカバー４０と射出物１４の延長部４３の間に介在されることにより、カバー４０と射出物１４の延長部４３の間への水分浸透を防止することになる。
【００１２】
図５は本発明の他の実施例を示す。同図に示すように、射出物１４の延長部４３の下部に環状溝８０が形成され、前記環状溝８０に弾性リング６４が挿入されることもできる。結果として、カバー４０と射出物１４の延長部４３の間への水分浸透を防止することになる。
【００１３】
以上説明したものは本発明によるステップモータのシーリング構造を実施するための一実施例に過ぎないもので、本発明は本実施例に限定せず、特許請求の範囲に請求するような本発明の要旨を逸脱することなしに、当該発明が属する分野で通常の知識を持った者であれば誰でも多様な変更が可能であり、そのような変形も本発明の範疇に属するものであろう。
【産業上の利用可能性】
【００１４】
本発明は、高湿環境でカバーと射出物の延長部の間への水分浸透を防止するステップモータに適用可能である。
【符号の説明】
【００１５】
１０    シャフト
１２    上部ベアリング
１４    射出物
２０    上部フランジ
２６    ケース
３０    コイル
３２    ヨーク
４０    カバー
４２    下部ベアリング
４３    延長部
４６    マグネット
６０    環状溝
６４    弾性リング
８０    環状溝
【図１】
2010233445.tif 000003
【図２】
2010233445.tif 000004
【図３】
2010233445.tif 000005
【図４】
2010233445.tif 000006
【図５】
2010233445.tif 000007